(57)【要約】【課題】  脊椎骨と接触するデバイス先端部の感覚をダイレクトに感じながら手術をすることが可能で、ハンドルを操作させることによって、軸に対して任意の角度にドリルなどを進めることができる、構造が簡単で操作性のよいインプラント装着用デバイスを提供する。【解決手段】  ハンドル操作部１５とインプラント保持部２とを、中空連結管１８によって同一軸線上で一体的に連結させ、インプラント保持部２内に、インプラント２０を前記軸線に対して直交状態で回転かつ着脱自在に保持する回転体１１と、この回転体１１を駆動する駆動体１３とを装置し、前記中空連結管１８内に設けた回転軸の一端部をハンドル操作部１５に、他端部を前記駆動体１３にそれぞれ係合させ、前記回転体１１に保持されたインプラント２０を、前記ハンドル操作部１５の回転によって回転させる。【選択図】        図２
2005118415.tif 000002
【特許請求の範囲】
【請求項１】
ハンドル操作部とインプラント保持部とを、中空連結管によって同一軸線上で一体的に連結させ、
前記インプラント保持部内に、インプラントを前記軸線に対して直交状態で回転かつ着脱自在に保持する回転体と、この回転体を駆動する駆動体とを装置し、
前記中空連結管内に設けた回転軸の一端部をハンドル操作部に、他端部を前記駆動体にそれぞれ係合させ、
前記回転体に保持されたインプラントを、前記ハンドル操作部の回転によって回転させること
を特徴とするインプラント装着用デバイス。
【請求項２】
前記ハンドル操作部は、
所要長さと径とを有する軸材からなるもので、外周部には滑り止めが形成されるとともに、一端部には軸線に沿って所要長さの回転軸の基端部が固着されていること
を特徴とする請求項１に記載のインプラント装着用デバイス。
【請求項３】
前記インプラント保持部は、
エルボ状中空管からなるもので、その屈曲部の開口部の内周面に形成された雌ネジにキャップが係合させるとともに、前記キャップの中心部に形成した挿通孔と相対する壁面に挿通孔が形成され、これら各挿通孔間にカサ歯車を有する回転体が回転自在に設けられ、直管部には前記回転体を駆動させる駆動部が設けられていること
を特徴とする請求項１に記載のインプラント装着用デバイス。
【請求項４】
前記回転体は、
一端部が前記エルボ状中空管の壁面の挿通孔に、他端部が前記キャップの挿通孔に係合する中空パイプの外周部に、その端面が前記キャップの裏面と当接するようにカサ歯車を取り外し自在に設けたものであること
を特徴とする請求項３に記載のインプラント装着用デバイス。
【請求項５】
前記駆動体は、
先端部に前記回転体のカサ歯車と直交状態で噛合うカサ歯車を、後端部に前記回転軸の係合子と係合する被係合子を有するもので、前記カサ歯車は駆動体から取り外し可能に設けられていること
と特徴とする請求項３に記載のインプラント装着用デバイス。
【請求項６】
前記中空連結管は、
外周部にローレット加工がなされた握り部材を介してハンドル操作部と連結していること
を特徴とする請求項１に記載のインプラント装着用デバイス。
【発明の詳細な説明】
【技術分野】
【０００１】
この発明は、脊椎等における炎症、変性疾患、脊柱変形など治療のため、当該椎弓、椎間間接、隣接椎体間にピンやスクリューなどを装着するためのインプラント装着用デバイスに関するものである。
【背景技術】
【０００２】
頸椎の炎症・変性疾患治療のため、第１頸椎と第２頸椎の間の亜脱臼整復部位にピンやスクリューを挿入して固定する手術法が行なわれている。しかしながら、頚椎の術野は狭く、皮膚から術野までに距離があるため、スクリューなどを挿入する際に、操作が非常に困難な場合が多い。特に、椎骨動脈を避けて関節面を適確に打ち抜く操作はきわめて難しく、必要以上に術野を大きく展開したり、固定部位から離れた場所に切開を加えることもあるため、侵襲は大きくなってしまう。また、椎弓間を切離し、再固定する場合にも同様の操作が必要で、困難を極めている。
【０００３】
そこで、たとえば、特開平９−２６６９１７号公報（特許文献１）においては、上記第１、第２頸椎、隣接椎体間にスクリュー等のインプラントを固定したり、椎弓再固定の手術の際に、椎骨動脈、脊髄、神経根を損傷するおそれなく、安全に手術を行なうことができるインプラントのガイド装置を提案している。
【特許文献１】特開平９−２６６９１７号公報（特許請求の範囲）
【発明の開示】
【発明が解決しようとする課題】
【０００４】
前記の椎体間固定用インプラントのガイド装置は、把持部と、この把持部に固定され、内周にインプラント挿入用治具を挿脱可能な中空内筒と、この中空内筒の先端部に前方に突出させて設けた第一のガイド突起と、上記中空内筒の外側に少なくとも回動自在に嵌めた移動外筒と、この移動外筒の先端部に前方に突出させて設けた第二のガイド突起とを備えたものである。そして、施術に際しては、術者は把持部を把持し、動脈、脊髄、神経根を避けながら、図５、図６に示すように、中空内筒をＡ部位に当て付け、第一ガイド突起は、脊髄を損傷しないように、脊髄の側部に押し付け、同時に第二ガイド突起を動脈、脊髄及び神経根とは接触しない位置に位置させて移動外筒を押し込み、その後、図７、図８に示すように、移動外筒を回動させて第二ガイド突起によりセットする。
【０００５】
このセット状態で、中空内筒の一端開口部から、先ずドリルを挿入して環椎（第１頸椎）と第２頸椎の隣接部位に下穴を穿け、ついでドリルを抜いてからタップを挿入して下ねじを切った後、スクリューを一端開口部から中空内筒内に挿入し、さらにドライバーを挿入してスクリューを回転させ、下ねじに螺合固定させる（図９、図１０）ものである。
【０００６】
しかしながら、このガイド装置は、装置全体がＬ字型に構成されているので、操作部のある先端部を体内に挿入するには、それなりの熟練を要し、実際の手術に際しては、把持部を片手で握りながら、他方の手で操作ノブを回転操作するもので、スムーズな操作性に欠ける嫌いがある。さらに、前記のようにガイド装置を構成する中空内筒の一端開口部から、先ずドリルを、ついでドリルを抜いてからタップを挿入して下ねじを切った後、スクリューを一端開口部から中空内筒内に挿入させ、さらにドライバーを挿入してスクリューを回転させて下ねじに螺合固定させるなど、その操作が必ずしも容易ではない。
【０００７】
この発明はかかる現状に鑑み、脊椎と接触する先端部の間隔をダイレクトに感じながら手術をすることが可能で、しかもハンドルを回転させることによって、軸に対して任意の角度にドリルなどを進めることのできる、構造が簡単で操作性のよいインプラント装着用デバイスを提供することを目的とするものである。
【課題を解決するための手段】
【０００８】
前記の目的を達成するため、この発明のインプラント装着用デバイスは、
ハンドル操作部とインプラント保持部とを、中空連結管によって同一軸線上で一体的に連結させ、
前記インプラント保持部内に、インプラントを前記軸線に対して直交状態で回転かつ着脱自在に保持する回転体と、この回転体を駆動する駆動体とを装置し、
前記中空連結管内に設けた回転軸の一端部をハンドル操作部に、他端部を前記駆動体にそれぞれ係合させ、
前記回転体に保持されたインプラントを、前記ハンドル操作部の回転によって回転させること
を特徴とするものである。
【０００９】
また、この発明の請求項２に記載の発明は、
請求項１に記載のインプラント装着用デバイスにおいて、
前記ハンドル操作部は、
所要長さと径とを有する軸材からなるもので、外周部には滑り止めが形成されるとともに、一端部には軸線に沿って所要長さの回転軸の基端部が固着されていること
を特徴とするものである。
【００１０】
また、この発明の請求項３に記載の発明は、
請求項１に記載のインプラント装着用デバイスにおいて、
前記インプラント保持部は、
エルボ状中空管からなるもので、その屈曲部の開口部の内周面に形成された雌ネジにキャップが係合させるとともに、前記キャップの中心部に形成した挿通孔と相対する壁面に挿通孔が形成され、これら各挿通孔間にカサ歯車を有する回転体が回転自在に設けられ、直管部には前記回転体を駆動させる駆動部が設けられていること
を特徴とするものである。
【００１１】
また、この発明の請求項４に記載の発明は、
請求項３に記載のインプラント装着用デバイスにおいて、
前記回転体は、
一端部が前記エルボ状中空管の壁面の挿通孔に、他端部が前記キャップの挿通孔に係合する中空パイプの外周部に、その端面が前記キャップの裏面と当接するようにカサ歯車を取り外し自在に設けたものであること
を特徴とするものである。
【００１２】
また、この発明の請求項５に記載の発明は、
請求項３に記載のインプラント装着用デバイスにおいて、
前記駆動体は、
先端部に前記回転体のカサ歯車と直交状態で噛合うカサ歯車を、後端部に前記回転軸の係合子と係合する被係合子を有するもので、前記カサ歯車は駆動体から取り外し可能に設けられていること
と特徴とするものである。
【００１３】
また、この発明の請求項６に記載の発明は、
請求項１に記載のインプラント装着用デバイスにおいて、
前記中空連結管は、
外周部にローレット加工がなされた握り部材を介してハンドル操作部と連結していること
を特徴とするものである。
【発明の効果】
【００１４】
この発明のインプラント装着用デバイスは、中空連結管によって同一軸線上にハンドル操作部とインプラント保持部とを連結させるとともに、インプラント保持部内に、インプラントを回転かつ着脱自在に保持する回転体を前記軸線に対して直交させて配置し、前記ハンドル操作部の回転操作によって、前記回転体を回動させるよう構成しているので、インプラントを軸に対して任意の角度で進めることができる。
【００１５】
特に、この発明においては、インプラントとハンドル操作部がほぼダイレクトに連結されているので、インプラントの感触を把握し易く、最適な角度にスクリューやピンを挿入することができるとともに、小さな皮切、最適な挿入角度、施術時間の短縮などを実現でき、保持するインプラントの種類を交換するだけで様々な固定材料に応用することができるなど実用上利用価値の高いものである。
【００１６】
また、この発明のインプラント装着用デバイスは、施術に際して、血と触れる機会が非常に高く、中空パイプ９やエルボ状中空管３内などに浸入して凝固し、操作の支障をきたすおそれもあり得るので、可能な限り構成部品を分解可能とし、術後は必ず洗浄消毒できるようにすることが肝要である。
【発明を実施するための最良の形態】
【００１７】
この発明のインプラント装着用デバイスは、ハンドル操作部とインプラント保持部とを中空連結管によって同一軸線上で一体的に連結させ、前記インプラント保持部内に、インプラントを前記軸線と直交状態で回転かつ着脱自在に保持する回転体と、この回転体を駆動する駆動体とを装置し、前記中空連結管内に設けた回転軸の一端部をハンドル操作部に、他端部を前記駆動体にそれぞれ係合させ、前記回転体に保持したインプラントを前記ハンドル操作部の回転によって、回転させることを特長とするものである。
【００１８】
なお、この発明においては、スクリューやピンなど以外のドリルやスクリュー付きドライバー先のような術具もインプラントと称する。
【実施例１】
【００１９】
以下、この発明によるインプラント装着用デバイスを添付の図面に基づいて詳細に説明するが、この発明は前記した要旨を変更しない範囲内において種々変更を加えることが可能なもので、実施例のみに限定されるものではない。
【００２０】
図１は、この発明によるインプラント装着用デバイスの全体を表す説明図、図２に、インプラントの装着用デバイスを構成するインプラント保持部の拡大断面図、図３は同じくハンドル操作部の一部切欠き断面図である。
【００２１】
この発明のインプラント装着用デバイス１は、図１で明らかなように、インプラント保持部２と、ハンドル操作部１５と、このハンドル操作部１５と前記インプラント保持部２とを、同一軸線上で一体的に連結させる所要長さの中空連結管１８とから構成されるものである。
【００２２】
前記インプラント保持部２は、図２で明らかなように、エルボ状中空管３から構成されるもので、前記エルボ状中空管３の屈曲部Ａにおける開口部４の内周面に雌ネジ５が形成され、この雌ネジに５に、中心部に所要径の挿通孔６を形成したキャップ７をネジ係合させるとともに、前記キャップ７に形成した挿通孔６と相対するエルボ状中空管３の壁面に挿通孔８が形成されたものである。
【００２３】
このインプラント保持部２は、施術に際し、スクリューなどを所定の椎体に装着するためのドリルやスクリュー用ドライバーなどのインプラントを保持するためのもので、エルボ状中空管３の屈曲部Ａ内には、端部９ａ，９ｂがそれぞれ前記挿通孔６，８によって係合保持される中空パイプ９と、この中空パイプ９の外周部に、端面が前記キャップ７の裏面と当接可能な状態で取り付けられるカサ歯車１０とから構成された回転体１１が、回動かつ取り外し自在に保持されているもので、前記カサ歯車１０と中空パイプ９とは分離可能なものである。
【００２４】
また、インプラント保持部２の直管部Ｂ内には、前記カサ歯車１０と直交状態で係合するカサ歯車１２を有する駆動体１３が回転自在に内装されているもので、この駆動体１３の後端部には、後述する回転軸１６の係合子１６ｂと係合する被係合子１４が一体的に設けられたもので、前記カサ歯車１２は駆動体１３から取り外し可能なものである。
【００２５】
一方、図３で明らかなように、ハンドル操作部１５は、所要長さと径を有する軸材からなるもので、外周部には凹凸部などからなる滑り止めが形成されるとともに、一端部の中心部には、所要長さと径を有する回転軸１６の基端部１６ａが固着されたもので、この回転軸１６を覆って外周部にローレット加工を施した中空の握り部材１７の一端部が取り外し自在に固定されている。
【００２６】
また、この握り部材１７の他端部には、内径が握り部材１７の内径と同径で、外径が前記エルボ状中空管３の直管部Ｂの内径と同径の中空連結管１８の基端部が取り外し自在に固定され、前記中空連結管１８の先端部が、図２で示すように、前記エルボ状中空管３の直管部Ｂ内に取り外し自在に固定されるもので、この固定状態において、前記回転軸１６の先端部に形成された凹状部からなる係合子１６ｂと、前記駆動体１３の被係合子１４が互いに係合状態を保持しているものである。
【００２７】
なお、前記の例においては、中空連結管１８は、その基端部が握り部材１７を介してハンドル操作部１５と連結しているが、中空連結管１８の基端部の一部に握り部が一体的に形成されたものを使用してもよく、また、握り部のないストレートなパイプ材で形成することも可能なもので、エルボ状中空管３、中空連結管１８、回転軸１６の材質は、この実施例においてはステンレスを使用しているが、非鉄金属や硬質の樹脂材料によって構成することも可能である。
【００２８】
かかる構成のインプラントの装着用デバイス１において、ドリルなどのインプラント２０は、基端部２０ａが棒状に形成されたもので、図２に示すように、この基端部２０ａを前記エルボ状中空管３に装着されたキャップ７の挿通孔６から挿入し、中空パイプ９内を通して反対側の挿通孔８からエルボ状中空管３外に顕出させ、この顕出した基端部２０ａの先端部とエルボ状中空管３の外周部に設けた離脱防止部材１９とを係合させ、使用時にインプラント２０がインプラント保持部２から抜け落ちるのを防止するよう構成されている。
【００２９】
また、インプラント２０と前記中空パイプ９との係合は、インプラント２０の基端部を断面方形とし、中空パイプ９の内周面も断面方形とすることによって相互に回転不能に保持しているものである。
【００３０】
さらに、前記離脱防止部材１９は、図示しないが側面部に切欠き溝を形成した板体をエルボ状中空管３の挿通孔８の近傍に回動自在に取り付け、インプラント２０の基端部２０ａに形成された溝状の係合部に、前記切欠き溝を係合させるよう構成しているが、エルボ状中空管３外に顕出したインプラント２０の基端部を係合保持できる構成であれば、その具体的な態様は問われない。
【図面の簡単な説明】
【００３１】
【図１】図１はこの発明によるインプラント装着用デバイスの全体を表す説明図である。
【図２】図２にインプラント装着用デバイスを構成するインプラント保持部の拡大断面図である。
【図３】図３は同じくハンドル操作部の一部切欠き断面図である。
【符号の説明】
【００３２】
１        インプラント装着用デバイス
２        インプラント保持部
３        エルボ状中空管
４        開口部
５        雌ネジ
６，８    挿通孔
７        キャップ
９        中空パイプ
１０，１２  カサ歯車
１１        回転体
１３        駆動体
１４        被係合子
１５        ハンドル操作部
１６        回転軸
１６ｂ      係合子
１７        握り部材
１８        中空管
１９        離脱防止部材
２０        インプラント
【図１】
2005118415.tif 000003
【図２】
2005118415.tif 000004
【図３】
2005118415.tif 000005